(57)【要約】【課題】簡単な構成でありながら、壁面の洗浄を好適に行うことができる浴室洗浄装置を提供する。【解決手段】浴室Ａの壁面２ａを洗浄する為の浴室洗浄装置１０であって、給水源１６Ａに配管接続され、該給水源１６Ａから供給された供給水Ｗに気泡を含有させた泡洗浄液ＷＡを生成する泡洗浄液生成装置１３と、該泡洗浄液生成装置１３に接続され、前記泡洗浄液ＷＡを給液する給液管路１１と、該給液管路１１に形成され、前記泡洗浄液ＷＡを前記浴室Ａ内の壁部上部より吐出し壁部に沿って流下させる吐出口１２とを備えていることを特徴とする。【選択図】図１
2009028226.tif 000002
【特許請求の範囲】
【請求項１】
浴室の壁面を洗浄する為の浴室洗浄装置であって、
給水源に配管接続され、該給水源から供給された供給水に気泡を含有させた泡洗浄液を生成する泡洗浄液生成装置と、該泡洗浄液生成装置に接続され、前記泡洗浄液を給液する給液管路と、該給液管路に形成され、前記泡洗浄液を前記浴室内の壁部上部より吐出し壁部に沿って流下させる吐出口とを備えていることを特徴とする浴室洗浄装置。
【請求項２】
請求項１に記載の浴室洗浄装置において、
前記吐出口は、スリット状の開口からなることを特徴とする浴室洗浄装置。
【請求項３】
請求項１に記載の浴室洗浄装置において、
前記吐出口は、多数の小孔からなることを特徴とする浴室洗浄装置。
【請求項４】
請求項１乃至３のいずれか一項に記載の浴室洗浄装置において、
前記泡洗浄液生成装置は、空気を導入するエジェクタ部と、洗剤液を導入するための洗剤液導入部と、該エジェクタ部および該洗剤液導入部の下流側に配設された微細泡発生部とを備え、前記給水源からの給水によって、前記洗剤液と水とを混合させると共に、外気を吸い込んで該混合水に微細な気泡を発生させる構成にしていることを特徴とする浴室洗浄装置。
【請求項５】
請求項４に記載の浴室洗浄装置において、
前記泡洗浄液生成装置は、前記洗剤液導入部への洗剤液の導入を遮断する洗剤液導入遮断手段を更に備えていることを特徴とする浴室洗浄装置。
【請求項６】
請求項１乃至５のいずれか一項に記載の浴室洗浄装置において、
前記浴室の天井壁部が傾斜しており、前記吐出口は、該傾斜した天井壁部の頂部に設けられ、吐出口から吐出された泡洗浄液は、天井壁部から側壁部に沿って流下するよう構成されていることを特徴とする浴室洗浄装置。
【請求項７】
請求項６に記載の浴室洗浄装置において、
前記傾斜した天井壁部の下流側端部と側壁部との境界の入隅部分はＲ形状とされていることを特徴とする浴室洗浄装置。
【発明の詳細な説明】
【技術分野】
【０００１】
本発明は、浴室内の壁面更には床面或いは浴槽を洗浄する為の浴室洗浄装置に関する。
【背景技術】
【０００２】
浴室は、常に湿気の多い環境下にある為壁面等に黴が発生し易く、また使用者の垢等も溜り易く、清潔に保つ為に頻繁に清掃を行うことが必要とされる。しかし、手作業による清掃は、多大な労力を必要とし、特に高齢者のみの世帯においては、行き届いた清掃が難しく、不衛生な状態での入浴を余儀なくされることにもなる。このような観点から、特許文献１には、温水と洗剤液とをミキシングし、天井部等に設けられた噴出部より浴室内に噴出させ、これを自動的に行うよう構成した浴室洗浄装置が開示されている。更に、特許文献１は、前記温水と洗剤液との混合液による洗浄の前後に、温水による前洗浄工程及びすすぎ洗浄工程、更には温風乾燥工程も組み入れ、これらを完全に自動的に行うことにも言及している。
【０００３】
また、特許文献２（図５、図６及びその説明参照）には、浴槽内から吸引した温水または冷水に、供給管の途中に設けられた洗剤液混合部において洗剤液を混合し、シャワー等の散水部より浴室内に散水するよう構成された浴室散水装置が開示されている。この場合も、三方弁等の流路切換部を設け、前記洗剤液混合液による散水洗浄の後、前記流路切換部を経た給水給湯管からの清浄な温水を散水部より散水してすすぎ洗浄を行うことが可能とされている。
【特許文献１】実開平０７−２７４６３号公報
【特許文献２】特開２００４−６５８５２号公報
【発明の開示】
【発明が解決しようとする課題】
【０００４】
ところで、前記特許文献１及び特許文献２に開示された浴室洗浄装置（浴室散水装置）は、いずれも、浴室の上部に設けられた噴出部或いは散水部より洗剤液を混合した洗浄液を浴室内に噴出或いは散水することにより浴室内を洗浄するものであるが、特に浴室の壁面（側壁面、天井壁面）を積極的に洗浄することを意図するものではない。これらの場合、噴出或いは散水された洗浄液は、一部が壁面にも飛散すると思われるが、洗浄液は温水または冷水に洗剤液を単に混合しただけであるから、流動性に富み、壁面に至った後、壁面を速やかに流下し、壁面に対する洗浄作用が十分に発揮されないまま、床面等を経て浴室の排水口から排出されてしまうことが予想される。
【０００５】
本発明は、前記実情に鑑みなされたものであり、壁面の洗浄を好適に行うことができる浴室洗浄装置を提供することを目的としている。
【課題を解決するための手段】
【０００６】
本発明に係る浴室洗浄装置は、浴室の壁面を洗浄する為の浴室洗浄装置であって、給水源に配管接続され、該給水源から供給された供給水に気泡を含有させた泡洗浄液を生成する泡洗浄液生成装置と、該泡洗浄液生成装置に接続され、前記泡洗浄液を給液する給液管路と、該給液管路に形成され、前記泡洗浄液を前記浴室内の壁部上部より吐出し壁部に沿って流下させる吐出口とを備えていることを特徴とする（請求項１）。
【０００７】
本発明において、前記吐出口を、スリット状の開口からなるもの（請求項２）、或いは、多数の小孔からなるもの（請求項３）とすることが可能であるが、スリットの形状や小孔の形状及び個数等は、洗浄液が壁面に広く且つ隈なく行き渡るように設計及び設定される。
【０００８】
また、本発明において、前記泡洗浄液生成装置は、空気を導入するエジェクタ部と、洗剤液を導入するための洗剤液導入部と、該エジェクタ部および該洗剤液導入部の下流側に配設された微細泡発生部とを備え、前記給水源からの給水によって、前記洗剤液と水とを混合させると共に、外気を吸い込んで該混合水に微細な気泡を発生させる構成にする（請求項４）ことが望ましい。
この場合、前記泡洗浄液生成装置は、前記洗剤液導入部への洗剤液の導入を遮断する洗剤液導入遮断手段を更に備えている（請求項５）ものとし、該洗剤液導入遮断手段を制御し洗剤液の供給を遮断することによって、前記エジェクタ装置及び給液管路を経て、前記吐出口より給水吐出のみを行うことを可能とするよう構成することもできる。
【０００９】
本発明において、前記浴室の天井壁部が傾斜している場合に、前記吐出口を、該傾斜した天井壁部の頂部に設け、吐出口から吐出された泡洗浄液を、天井壁部から側壁部に沿って流下させるよう構成する（請求項６）こともできる。この場合、前記傾斜した天井壁部の下流側端部と側壁部との境界の入隅部分をＲ形状とする(請求項７）ことが望ましい。
【発明の効果】
【００１０】
本発明の浴室洗浄装置は、浴室の壁部を積極的に洗浄することを意図して提案されたものであり、その為、吐出口から吐出される洗浄液が浴室の壁面に沿って流下するよう、その吐出向きが設定されている。従って、洗浄液の大半が壁部の上部に向け吐出され、その壁面に沿った流下に伴い、壁部の洗浄が効果的になされる。しかも、洗浄液は、泡洗浄液生成装置によって調製された泡洗浄液とされ、給液管路を経て前記吐出口から吐出されるよう構成されているから、吐出された泡洗浄液は、泡を内包することにより相対的な表面張力が高められて壁面に対する付着力が大きくなり、壁面をゆっくり流下する。従って、流下の際に、壁面に付着する汚れを捕捉除去し、これにより、洗浄効果が飛躍的に高められる。
【００１１】
請求項２或いは請求項３の発明のように、前記吐出口を、スリット状の開口からなるもの、或いは、多数の小孔からなるものとすることができるが、前者の場合は、壁部に対するむらのない吐出が可能であり、また、後者の場合は吐出圧を高めることができると共に小孔を多数並設することにより同様の効果が得られる。これらの場合、スリットは壁部上部に沿って水平方向に伸びる形状とされ、また小孔も同水平方向に沿って並設されるよう形成される。
【００１２】
請求項４の発明の場合、泡洗浄液生成装置において、給水源からの給水によって、洗剤液導入部からの洗剤液と水とが混合されて洗剤液混合水（洗剤液混合液）とされると共に、外気を吸い込み、微細気泡発生部において微細な気泡が生成されて該洗剤液混合水に該微細な気泡を多数内包する泡洗浄液が生成される。従って、泡洗浄液が前記のように吐出口から吐出され、壁面を流下する際、洗剤液の洗浄作用によって壁面に付着する汚れの捕捉がより効果的になされる。そして、この洗剤液の洗浄作用と内包する微細気泡による前記流下遅延作用とが相俟って、洗浄効果がより高められる。
【００１３】
この場合、請求項５の発明のように、泡洗浄液生成装置に洗剤液導入遮断手段を更に備えるようにすれば、該洗剤液導入遮断手段を制御し洗剤液の供給を遮断することによって、給水源から、前記泡洗浄液生成装置及び給液管路を経て、給水吐出のみを行うことが可能とされる。従って、前記洗剤液混合液による洗浄の前或いは後に、給水吐出のみを行うようにすれば、プレ洗浄或いはすすぎ洗浄も行うことができる。該洗剤液導入遮断手段は、例えば、ポンプ或いは制御弁（電磁弁等）、更にはこの両方の組合せから構成される。また、給水手段は、上水道から給湯器を経て、或いは直接配管された給水管路と、給水管路の途中に配設された制御弁とよりなる。これら洗剤液供給制御手段及び給水手段の制御弁を事前に設定された制御シーケンスに基づき制御することで、プレ洗浄、本洗浄及びすすぎ洗浄を実施し得るよう構成することができる。
【００１４】
請求項６の発明のように、浴室の天井壁部が傾斜している場合には、前記吐出口を、該傾斜した天井壁部の頂部に設けるようにすれば、吐出口から吐出された泡洗浄液を、天井壁部から側壁部に沿って流下させることができる。特に、洗浄液が泡洗浄液であるから、前述の通り壁面に対する付着力により、吐出口から吐出された後、泡洗浄液は天井壁部から落下することが少なく、大半が天井壁部の壁面を伝い、垂直な側壁部に至りその壁面を流下することになるから、天井壁部及び側壁部を合わせて洗浄することができる。
【００１５】
この場合、請求項７の発明のように、前記傾斜した天井壁部の下流側端部と側壁部との境界の入隅部分をＲ形状とすれば、洗浄液が多くの微細泡を含むから、天井壁部の壁面を伝って側壁部との境界部に至った泡洗浄液の側壁部への移行及び流下がスムースになされる。
傾斜した天井壁部としては、中央部が高く四方に或いは二方に傾斜する場合や、所謂片流れ状に傾斜する場合等、種々の傾斜態様が採用可能であるが、いずれにしても、泡洗浄液の吐出口はこの傾斜した天井壁部の頂部に設けられる。
【発明を実施するための最良の形態】
【００１６】
以下に本発明の最良の実施の形態について、図面に基づいて説明する。図１は本発明に係る一実施形態の浴室洗浄装置を備えた浴室の一例を概念的に示す縦断面図、図２は図１におけるＸ−Ｘ線矢視断面図、図３（ａ）（ｂ）は吐出口の変形例を示し、（ａ）は図１の拡大部と同様図、（ｂ）は図２と同様図である。図４（ａ）（ｂ）は本発明の浴室洗浄装置に用いられる泡洗浄液生成装置の例を模式的に示す図、図５は本発明に係る他の実施形態の浴室洗浄装置を備えた浴室の一例を示す図１と同様図、図６は本発明に係る更に他の実施形態の浴室洗浄装置を備えた浴室の一例を示す図１と同様図である。
【００１７】
図１に示す浴室Ａは、床パネル１の四周に側壁パネル（側壁部）２が立設され、側壁パネル２の上端に浴室の内部空間を覆うように、方形の天井支持枠３を介して水平な天井パネル（壁部）４が設置されている。床パネル１の一部に浴槽５が凹設され、残余の床パネル１の床面が洗い場１ａとされている。浴室Ａ内には、鏡６、給水・給湯カラン７、洗面台８等が設置され、床パネル１の下には、洗い場１ａからの排水トラップ９ａ及びこれに合流する浴槽５からの排水管９ｂ等からなる排水機構９が設置されている。その他、図示を省略したシャワー設備や洗剤液等の備品類の収納棚、電灯、排気・冷暖房装置、更には必要によって窓等も設置される。また、浴室Ａに隣接して脱衣室（不図示）が設けられ、脱衣室との境界の側壁部には出入用ドア（不図示）が取付けられる。脱衣室には洗面ユニットや洗濯機置き場等（いずれも不図示）が設置される。このような浴室Ａは、脱衣室と共にユニット化されたものや、需要者の求めに応じて個々に設計されたもの等、様々な態様で提供されるが、本発明の浴室洗浄装置は、これらの浴室のいずれにも適用されるものである。
【００１８】
側壁パネル２の上端には、前記天井支持枠３が固着一体とされるが、この固着界面は水密シールが施される。該天井支持枠３には後記する浴室洗浄装置１０を構成する給液管路１１の収容空間３ａが形成されている。この収容空間３ａは、天井支持枠３を構成する方形枠部材を求心方向に屈曲して開環筒状に形成され、その屈曲舌片部３ｂが側壁パネル２の上端に連なる垂直部分３ｃの内面に対して一定の隙間を以って対峙するように斜め下向きに屈曲されている。このような屈曲舌片部３ｂの形成態様によって、浴室Ａの上部であって、側壁パネル２と天井パネル４との境界部に、前記隙間によるスリット状の開口１２ａからなる吐出口１２が形成される。給液管路１１は天井支持枠３を貫き浴室Ａの外部に導出され、その基部側が泡洗浄液生成装置１３に接続されている。給液管路１１の収容空間３ａに収容された部分には、所定間隔毎に、多数の給液口１１ａ…が斜め下向きに開設されている。泡洗浄液生成装置１３と、給液管路１１と、吐出口１２とにより、浴室洗浄装置１０が構成される。
【００１９】
前記吐出口１２は、図１及び図２に示すようなスリット状の開口１２ａによるものの他、図３（ａ）（ｂ）に示すような多数の小孔１２ｂ…からなるものであっても良い。即ち、図３（ａ）に示すように、前記屈曲舌片部３ｂが垂直部分３ｃの内面に当接一体に形成され、天井支持枠３が閉環筒状体とされている。この屈曲舌片部３ｂに、側壁パネル２の内壁面２ａに向くよう斜め下向きに、多数の小孔１２ｂ…が形成されている。この多数の小孔１２ｂ…によって吐出口１２が構成される。小孔１２ｂの開口形状は、図例のような円形に限らず、長軸が浴室Ａの周方向に沿った長円、楕円、更には長方形であっても良い。また、小孔１２ｂの開口部に不図示の邪魔板部材を配したものであっても良い。これらの形状等は、小孔１２ｂから吐出される泡洗浄液が側壁パネル２の内壁面２ａに沿って幅広く広がって流下するよう設定される。
【００２０】
泡洗浄液生成装置１３は、給水源１６Ａ及び給水手段１６に接続されると共に空気を導入するエジェクタ部１４Ａと、洗剤液を導入するための洗剤液導入部１４Ｃと、該エジェクタ部１４Ａ及び洗剤液導入部１４Ｃの下流側に配設された微細泡発生部１４Ｂとを備え、洗剤液導入部１４Ｃは、洗剤液供給路１５ａを介して洗剤液タンク１５が接続されている。洗剤液タンク１５は洗剤液Ｓの供給口１５ｂを備えるが、この供給口１５ｂは、前記脱衣室に設置される洗面ユニット（例えば、洗面シンク下の収納空間内等）や、浴室Ａ内の適宜位置に設置される。前記給水手段１６は、給水源１６Ａ（上水道）に直接接続される給水管路１６ａと、この給水管路１６ａの途中に配設される制御弁（電磁弁）１６ｂとにより構成される。尚、給水管路１６ａの途中に給湯器が配設されている場合にも適用される。
【００２１】
図４（ａ）は、図１の浴室洗浄装置１０に適用される泡洗浄液生成装置１３をより詳細に示すものであり、給水手段１６の給水管路１６ａに接続されるエジェクタ部１４Ａと、該エジェクタ部１４Ａの下流側に連結されたベンチュリー管状部（微細気泡発生部）１４Ｂとよりなり、ベンチュリー管状部１４Ｂの下流側出口に給液管路１１が接続されている。また、エジェクタ部１４Ａの上流側部には、給水手段１６の給水管路１６ａが接続されている。エジェクタ部１４Ａには、気体供給路１７が接続され、エジェクタ部１４Ａとベンチュリー管状部１４Ｂとの連結部には前記洗剤液供給路１５ａが洗剤液導入部１４Ｃを介して接続されている。気体供給路１７はその基端側が大気に開放し、途中には気体の逆流を防止する為の逆止弁１７ａが設けられている。また、洗剤液供給路１５ａは、その基端部が洗剤液タンク１５内に貯留される洗剤液Ｓ内に没入され、途中にはポンプ１５ｃと、制御弁（電磁弁）１５ｄとがこの順序で設けられている。洗剤液供給路１５ａは、ポンプ１５ｃと制御弁１５ｄとの間で分岐し、ポンプ１５ｃによって汲み上げられた洗剤液Ｓの一部を洗剤液タンク１５に戻す為の循環路１５ｅを備えている。ポンプ１５ｃ及び制御弁１５ｄは、洗剤液タンク１５からエジェクタ部１４Ａへの洗剤液の導入を遮断する洗剤液導入遮断手段を構成するものであり、図例では両者を備えたものを例示しているが、どちらか一方であっても良い。また、このような洗剤液導入遮断手段を設けず、給水手段１６からの給水の際における水流作用によって洗剤液Ｓを吸引させるようにしても良い。
【００２２】
図４（ｂ）は前記泡洗浄液生成装置１３の変形例を示すものであり、エジェクタ部１４Ａとベンチュリー管状部１４Ｂとの連結部に前記洗剤液供給路１５ａを接続していない点で前記と異なる。水に微細気泡を内包させただけの泡洗浄液であっても、ある程度の洗浄能力を備えるので、洗剤液の供給系のないものも製品仕様に加えることができる。その他の構成は前記と同様である。
【００２３】
前記のように構成された浴室洗浄装置１０を用いて浴室Ａの洗浄の要領について説明する。先ず、洗剤液供給系のポンプ１５ｃを作動させずまた制御弁１５ｄを閉じた状態で、給水手段１６の制御弁１６ａを開とすると、水又は温水Ｗがエジェクタ部１４Ａに流入し、この水流に伴うエジェクタ部１４Ａ内の負圧作用によって、気体供給路１７より外気が取り込まれ水に混合される。水と気体とが混合された状態でベンチュリー管状部１４Ｂに至ると、そのベンチュリー作用によって気泡が微細化し、多数の微細気泡を内包する泡洗浄液ＷＡとなって給液管路１１に供給される。給液管路１１に供給された泡洗浄液ＷＡは、天井支持枠３に内装された給液管路１１の各給液口１１ａ…から収容空間３ａに流入し、更に吐出口１２から側壁パネル２の内壁面２ａに向け吐出される。内壁面２ａに向け吐出された泡洗浄液ＷＡは、多数の微細気泡を内包する為、相対的な表面張力が大きく内壁面２ａに沿ってゆっくり流下する。この流下の際に、内壁面２ａに付着する汚れ等を捕捉して内壁面２ａを洗浄する。流下して浴槽５内や洗い場１ａに至った泡洗浄液ＷＡは、浴槽５の内面や洗い場１ａの表面を洗浄しながら、排水機構９より排出される。
【００２４】
前記洗浄は、洗剤液を用いない洗浄であるが、ある程度の洗浄効果は得られるので、このような泡洗浄液ＷＡのみで洗浄を行うようにしても良い。この場合は、図４（ｂ）に示す泡洗浄液生成装置１３を用いることができる。洗剤液を用いて洗浄する場合は、前記洗浄をプレ洗浄と位置付け、所定時間のプレ洗浄の後、ポンプ１５ｃを作動させ、制御弁１５ｄを開とすると、洗剤液供給路１５ａを介して洗剤液導入部１４Ｃからエジュクタ部１４Ａとベンチュリー管状部１４Ｂとの連結部の管路に洗剤液Ｓが逐次供給され、気体と共に洗剤液Ｓが水に混合される。ベンチュリー管状部１４Ｂでは、前記の通り混入した気泡が微細化され、洗剤液Ｓ及び多数の微細気泡を含む泡洗浄液ＷＡＳとして給液管路１１に供給される。給液管路１１に供給された泡洗浄液ＷＡＳは、前記と同様に吐出口１２から側壁パネル２の内壁面２ａに向け吐出される。内壁面２ａに向け吐出された泡洗浄液ＷＡＳは、前記同様、内壁面２ａに沿ってゆっくり流下するが、この場合は洗剤液Ｓを含むからその界面活性作用も相乗して微細気泡が更に多く発生し、流下速度も一層遅くなる。従って、これと洗剤液Ｓの洗浄作用とが相俟って、内壁面２ａに付着する汚れ等の捕捉除去機能が一層向上し、飛躍的な洗浄効果が発揮される。
【００２５】
洗剤液Ｓを用いた洗浄の後は、すすぎ洗浄を必要とする。従って、前記洗剤液Ｓを用いた洗浄を所定時間行った後、ポンプ１５ｃを停止させ、制御弁１５ｄを閉とすると、前記同様微細気泡を内包する水のみによる泡洗浄液ＷＡが、継続して吐出口１２から側壁パネル２の内壁面２ａに向け吐出される。この吐出により、内壁面２ａ、浴槽５の内面、更には洗い場１ａの表面に残存する洗剤液を含む洗浄液が流され、すすぎ洗浄がなされる。このようなプレ洗浄、洗剤液を用いた本洗浄及びすすぎ洗浄の一連の洗浄工程は、給水手段１６の制御弁１６ａ、洗剤液導入遮断手段としてのポンプ１５ｃ及び制御弁１５ｄを事前に設定された制御シーケンスに基づき作動制御することにより、実施し得るよう構成することができる。
【００２６】
図５及び図６は、天井が傾斜している場合に本発明の浴室洗浄装置を適用した例を示している。図５に示す浴室Ｂの天井パネル（天井壁部）４Ａは中央部が高く、四方に傾斜し、その傾斜下流側端部が側壁パネル２の上端に固着一体とされた天井支持枠３Ａに支持されている。天井パネル４Ａの頂部には浴室洗浄装置１０の給液管路１１の先端が接続される給液筒１１ｂが取付けられている。この給液筒１１ｂは下向きに開口しており、円盤状整流部材１２Ａがこの開口部に近接し且つ周縁が天井パネル４Ａの下面、即ち天井面（壁面）に当接するよう給液筒１１ｂの上底部より吊持されている。整流部材１２Ａの周縁部分には天井パネル４Ａの天井面４Ａａに向く複数の小孔１２Ａａ…が設けられており、この小孔１２Ａａ…により泡洗浄液の吐出口１２が構成される。
【００２７】
天井支持枠３Ａは、鉤型に屈曲した断面形状をなし、この屈曲部分の内面は浴室Ｂ内に向き、天井パネル４Ａの下流側端部と側壁パネル２との境界の入隅部分３Ａａを構成する。この入隅部分３ＡａはＲ形状をなし、天井パネル４Ａの天井面４Ａａと側壁パネル２の内壁面２ａとが、Ｒ形状の入隅部分３Ａａを含む天井支持枠３Ａの内面を介して連続した面を形成する。給液管路１１の基端側には前記と同様の泡洗浄液生成装置１３が接続配管され、給液管路１１、吐出口１２及び泡洗浄液生成装置１３により、前記同様浴室洗浄装置１０が構成されている。浴室Ｂ内及びこれに付帯する部位の構成は前記と同様であるので、共通部分に同一の符号を付し、その説明を省略する。
【００２８】
前記のような構成の浴室洗浄装置１０を備えた浴室Ｂの洗浄に際しては、前記同様に洗剤液を含まない泡洗浄液ＷＡ或いは洗剤液を含む泡洗浄液ＷＡＳが給液管路１１に供給される。給液管路１１に供給された泡洗浄液ＷＡ（ＷＡＳ）は、給液筒１１ｂに流入し、更に整流部材１２Ａに設けられた吐出口１２（小孔１２ａ…）より、天井パネル４Ａの天井面４Ａａに向け吐出される。吐出された泡洗浄液ＷＡ（ＷＡＳ）は天井パネル４Ａの天井面４Ａａを伝いながらその傾斜方向に流下する。この時、泡洗浄液ＷＡ（ＷＡＳ）は多数の微細気泡を内包するから、前記同様相対的な表面張力が高められて天井パネル４Ａの天井面４Ａａに対する付着性が強く、途中で落下することが少なく大半が天井パネル４Ａと側壁パネル２との境界部に至る。天井パネル４Ａの天井面４Ａａから側壁パネル２の内壁面２ａにかけてＲ形状の入隅部分３Ａａを介して連続面を形成しているから、この境界部に至った泡洗浄液ＷＡ（ＷＡＳ）は、ここで滞ることなくスムースに垂直な側壁パネル２の内壁面２ａに沿って流下する。吐出口１２から、天井パネル４Ａの天井面４Ａａ及び側壁パネル２の内壁面２ａに沿った連続した泡洗浄液ＷＡ（ＷＡＳ）の流下の際、該天井面４Ａａ及び内壁面２ａに付着する汚れが捕捉除去されて洗浄される。浴槽５の内面５ａや洗い場１ａの表面も、前記同様流下した泡洗浄液ＷＡ（ＷＡＳ）によって洗浄される。
【００２９】
図６に示す浴室Ｃの天井パネル（天井壁部）４Ｂは所謂片流れ状に傾斜している。側壁パネル２の上端には、対向する辺の高さが異なる平面視方形状の天井支持枠３Ｂが固着一体とされ、この天井支持枠３Ｂに天井パネル４Ｂが片流れ傾斜状態で支持されている。天井パネル４Ｂの傾斜上流側の天井支持枠３Ｂを貫き給液管路１１が浴室Ｃ内に導入され、導入された給液管路１１は、傾斜する天井パネル４Ｂの頂部に沿うよう断面弧状の整流部材１２Ｂに支持されている。この給液管路１１の浴室Ｃ内に導入された部分には、天井パネル４Ｂの下面（天井壁面）４Ｂａに向く多数の給液口１１ｃ…と、側壁パネル２の内壁面２ａに向く多数の給液口１１ｄ…とが、その長手方向に沿って開設されている。また、整流部材１２Ｂは、天井パネル４Ｂの天井面４Ｂａと側壁パネル２の内壁面２ａとの間にそれぞれ隙間が形成されるよう設置され、この各隙間が吐出口１２を構成するスリット状開口１２Ｂ，１２Ｂｂとされる。
【００３０】
天井パネル４Ｂの下流側端部と側壁パネル２との境界部は、前記同様の入隅部分３Ｂａを構成する。この入隅部分３ＢａはＲ形状をなし、天井パネル４Ｂの下面（天井壁面）４Ｂａと側壁パネル２の内壁面２ａとが、Ｒ形状の入隅部分３Ｂａを含む天井支持枠３Ｂの内面を介して連続した面を形成する。傾斜した天井パネル４Ｂの両側辺部（紙面奥側及び手前側）と側壁パネル２との境界部には、図示は省略するが図１と同様の天井支持枠による給液管路１１の収容空間が形成され、この収容空間に給液管路１１が延設される。従って、浴室Ｂ内の給液管路１１は平面視してコの字形の配管構造をなす。給液管路１１の基端側には前記と同様の泡洗浄液生成装置１３が接続配管され、給液管路１１、吐出口１２及び泡洗浄液生成装置１３により、前記同様浴室洗浄装置１０が構成されている。また、浴室Ｂ内及びこれに付帯する部位の構成は前記と同様であるので、共通部分に同一の符号を付し、ここでもその説明を省略する。
【００３１】
前記のような構成の浴室洗浄装置１０を備えた浴室Ｃの洗浄に際しては、前記同様に洗剤液を含まない泡洗浄液ＷＡ或いは洗剤液を含む泡洗浄液ＷＡＳが給液管路１１に供給される。そして、給液管路１１に供給された泡洗浄液ＷＡ（ＷＡＳ）は、給液口１１ｃ…及び給液口１１ｄ…より流出し、それぞれ吐出口１２（１２Ｂａ，１２Ｂｂ）より、天井パネル４Ｂの天井面４Ｂａ及び側壁パネル２の内壁面２ａに向け吐出される。天井パネル４Ｂの天井面４Ｂａに向け吐出された泡洗浄液ＷＡ（ＷＡＳ）は、該天井面４Ｂａを伝いながらその傾斜方向に流下する。この時、前記と同様に、泡洗浄液ＷＡ（ＷＡＳ）は多数の微細気泡を内包するから、途中で落下することが少なく大半が天井パネル４Ｂの傾斜下流側と側壁パネル２との境界部に至る。天井パネル４Ｂの天井面４Ｂａから側壁パネル２の内壁面２ａにかけてＲ形状の入隅部分３Ｂａを介して連続面を形成しているから、この境界部に至った泡洗浄液ＷＡ（ＷＡＳ）は、ここで滞ることなくスムースに垂直な側壁パネル２の内壁面２ａに沿って流下する。一方、側壁パネル２の内壁面２ａに向け吐出された泡洗浄液ＷＡ（ＷＡＳ）は、そのまま内壁面２ａに沿って流下する。
【００３２】
吐出された泡洗浄液ＷＡ（ＷＡＳ）は、天井パネル４Ｂの天井面４Ｂａ及び側壁パネル２の内壁面２ａを流下しながら、前記と同様に、該天井面４Ｂａ及び内壁面２ａに付着する汚れを捕捉除去して洗浄し、浴槽５の内面５ａや洗い場１ａに至り、これらの表面も洗浄して、排水機構９より排出される。このように、傾斜した天井パネル４Ｂの頂部に設けられた吐出口１２（１２Ｂａ，１２Ｂｂ）からは、泡洗浄液ＷＡ（ＷＡＳ）が天井パネル４Ｂの天井面４Ｂａ及び側壁パネル２の内壁面２ａに向け２方に分かれて吐出される。この場合、天井パネル４Ｂの天井面４Ｂａに向け吐出される泡洗浄液ＷＡ（ＷＡＳ）の途中での落下をできるだけ少なくする為に、前記給液口１１ｃ…の開口面積を小さくし、また吐出口１２Ｂａの開口幅を狭めて、吐出圧を高めるようにすることが望ましい。
【００３３】
尚、図５に示す実施形態では、天井パネルが四方に傾斜している例を示しているが、二方（屋根構造に例えれば、切妻式）に傾斜している天井構造にも適用される。この場合、切妻側の天井パネルと側壁パネルとのコーナー部には、図１に示すような給液管路の配管構造及び吐出機構が採用される。また、図５に示す吐出口を小孔に代えてスリット状の開口で構成することや、図６に示す吐出口をスリット状の開口に変えて多数の小孔で構成することは、もとより可能である。その他、浴室の構造は図例のものに限定されないことは言うまでもない。更に、給水源からの供給水に対する空気の混合は、給水管路にポンプによって空気を導入することによって行うようにしても良い。
【図面の簡単な説明】
【００３４】
【図１】本発明に係る一実施形態の浴室洗浄装置を備えた浴室の一例を概念的に示す縦断面図である。
【図２】図１におけるＸ−Ｘ線矢視断面図である。
【図３】（ａ）（ｂ）は吐出口の変形例を示し、（ａ）は図１の拡大部と同様図、（ｂ）は図２と同様図である。
【図４】（ａ）（ｂ）は本発明の浴室洗浄装置に用いられる泡洗浄液生成装置の例を模式的に示す図である。
【図５】本発明に係る他の実施形態の浴室洗浄装置を備えた浴室の一例を示す図１と同様図である。
【図６】本発明に係る更に他の実施形態の浴室洗浄装置を備えた浴室の一例を示す図１と同様図である。
【符号の説明】
【００３５】
２      側壁パネル（壁部）
２ａ    内壁面（壁面）
４，４Ａ，４Ｂ      天井パネル（壁部）
４ａ，４Ａａ，４Ｂａ      天井面（壁面）
１０    浴室洗浄装置
１１    給液管路
１２    吐出口
１２ａ  スリット状開口（吐出口）
１２ｂ  小孔（吐出口）
１２Ａａ  小孔（吐出口）
１２Ｂａ，１２Ｂｂ  スリット状開口（吐出口）
１３    泡洗浄液生成装置
１４Ａ  エジェクタ部
１４Ｂ  ベンチュリー管状部（微細泡発生部）
１４Ｃ  洗剤液導入部
１５ｃ  ポンプ（洗剤液導入遮断手段）
１５ｄ  制御弁（洗剤液導入遮断手段）
１６Ａ  給水源
３Ａａ，３Ｂａ      入隅部分
Ａ，Ｂ，Ｃ      浴室
Ｓ      洗剤液
ＷＡ，ＷＡＳ      泡洗浄液
【図１】
2009028226.tif 000003
【図２】
2009028226.tif 000004
【図３】
2009028226.tif 000005
【図４】
2009028226.tif 000006
【図５】
2009028226.tif 000007
【図６】
2009028226.tif 000008